(57)【要約】【課題】ベビースリングの形状は、着脱時にテール接続端を緩めるかはずして被る動作が必要であり、また着用時に毎回テールで長さの調節を必要として面倒であった。また、抱っこされた乳幼児がリングに頭部をぶつけ、大変危険でもあった。その上収納ポーチもポケットもなく、携帯に不便であった。【解決手段】ベビースリング本体の接続端とテール接続端を接続するためにオス・メスジョイント式バックルを用いた。また落下防止兼長さ調節ベルト、バックルカバー、肩保護パッド、収納ポーチ兼ポケット及び持ち手を設ける。【選択図】      図１
2004222828.tif 000002
【特許請求の範囲】
【請求項１】
ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、着脱を容易にした事を特徴とするベビースリングである。
【請求項２】
ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またベビースリング本体の肩にあたる部分からバックルの下部まで、クッションとなるパッドを設けた事により、肩への負担を緩和する事を特徴とするベビースリングである。
【請求項３】
ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またバックルＡ・Ａ’の補助として落下防止兼長さ調節ベルトを設け、ベビースリングの本体上端の筒状部を通り本体の接続端側から外部に伸びた調節ベルト端部Ｃにもうひとつのオス・メスジョイント式バックルのメスＢを縫い付け、ベビースリング本体の肩に当たる部分からバックルの下部までに設けられたクッションとなるパッド上に、メスＢを縫い付けたベルト端部Ｃを縫い付け、テール接続端側から外部に伸びたベルト端部Ｃ’に取り付けたオスＢ’とメスＢがジョイントして落下防止兼長さ調節ベルトが輪状となり、万が一バックルＡ・Ａ’のジョイントが外れても乳幼児が落下しないようになっている事を特徴とするベビースリングである。
【請求項４】
ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またバックルＡ・Ａ’の補助として落下防止兼長さ調節ベルトを設け、ベビースリングの本体上端の筒状部を通り本体の接続端側から外部に伸びたベルト端部Ｃにもうひとつのオス・メスジョイント式バックルのメスＢを縫い付けて、ベビースリング本体の肩に当たる部分からバックルの下部までに設けられたクッションとなるパッド上に、メスＢを縫い付けたベルト端部Ｃを縫い付け、テール接続端側から外部に伸びたベルト端部Ｃ’に取り付けたオスＢ’とメスＢがジョイントして落下防止兼長さ調節ベルトが輪状となり、万が一バックルＡ・Ａ’のジョイントが外れても乳幼児が落下しないようになっている。また、本体中央部に収納ポーチとしてとして使用できるポケットを縫い付けていることを特徴とするベビースリングである。
【請求項５】
ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けた事によりベビースリングの着脱を容易にした。さらにテール接続端の先端にはバックルのオスＡ’の抜け落ち防止と玩具などを掛けておく為の吊りカンを縫い付けている。またバックルＡ・Ａ’の補助として落下防止兼長さ調節ベルトを設け、ベビースリングの本体上端の筒状部を通り、本体の接続端側から外部に伸びた調節ベルト端Ｃにもうひとつのオス・メスジョイント式バックルのメスＢを縫い付けて、ベビースリング本体の肩に当たる部分からバックルの下部までに設けられたクッションとなるパッド上にメスＢを縫い付けたベルト端Ｃを縫い付け、テール接続端側から外部に伸びたベルト端Ｃ’に取り付けたバックルのオスＢ’とメスＢがジョイントして落下防止兼長さ調節ベルトが輪状となり、万が一バックルＡ・Ａ’のジョイントが外れても乳幼児が落下しないようになっている。また、パッドにはバックルと乳幼児の頭部の保護のためにバックルを包み込む形状のバックルカバーを縫い付け、本体中央部には収納ポーチとして使用できるポケットを縫い付けている事を特徴とするベビースリングである。
【発明の詳細な説明】
【０００１】
【発明の属する分野】
この発明は、乳幼児を抱っこする時に用いる１枚布で作られた子守帯であるベビースリングの形状に関する。
【０００２】
【従来の技術】
従来の乳幼児を抱っこする時に用いる１枚布で作られた子守帯であるベビースリングの形状は、図５に示すように、ベビースリングの本体１とテール接続端２を接続するためにリング３が設けられたものである。
【０００３】
【発明が解決しようとする課題】
しかしながら、以上の従来技術によれば、ベビースリングの着脱時にテール接続端を緩めるかはずして被る動作が必要であり、また着用時に毎回テールで長さの調節を必要として面倒であった。また、抱っこされた乳幼児がリングに頭部をぶつけ、大変危険でもあった。その上収納ポーチもポケットもなく、携帯に不便であった。
【０００４】
そこで、この発明は、ベビースリングの着脱が容易で安全性が高く、携帯しやすい便利なベビースリングを提供することを課題とする。
【０００５】
【問題を解決するための手段】
以上の課題を解決するために、請求項１の発明は、ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、着脱を容易にした事を特徴とするベビースリングである。
【０００６】
また、請求項２の発明は、ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またベビースリング本体の肩にあたる部分からバックルの下部まで、クッションとなるパッドを設けた事により、肩への負担を緩和する事を特徴とするベビースリングである。
【０００７】
また、請求項３の発明は、ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またバックルＡ・Ａ’の補助として落下防止兼長さ調節ベルトを設け、ベビースリングの本体上端の筒状部を通り本体の接続端側から外部に伸びた調節ベルト端部Ｃにもうひとつのオス・メスジョイント式バックルのメスＢを縫い付け、ベビースリング本体の肩に当たる部分からバックルの下部までに設けられたクッションとなるパッド上に、メスＢを縫い付けたベルト端部Ｃを縫い付け、テール接続端側から外部に伸びたベルト端部Ｃ’に取り付けたオスＢ’とメスＢがジョイントして落下防止兼長さ調節ベルトが輪状となり、万が一バックルＡ・Ａ’のジョイントが外れても乳幼児が落下しないようになっている事を特徴とするベビースリングである。
【０００８】
請求項４の発明は、ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けたことにより、ベビースリングの着脱を容易にした。またバックルＡ・Ａ’の補助として落下防止兼長さ調節ベルトを設け、ベビースリングの本体上端の筒状部を通り本体の接続端側から外部に伸びたベルト端部Ｃにもうひとつのオス・メスジョイント式バックルのメスＢを縫い付けて、ベビースリング本体の肩に当たる部分からバックルの下部までに設けられたクッションとなるパッド上に、メスＢを縫い付けたベルト端部Ｃを縫い付け、テール接続端側から外部に伸びたベルト端部Ｃ’に取り付けたオスＢ’とメスＢがジョイントして落下防止兼長さ調節ベルトが輪状となり、万が一バックルＡ・Ａ’のジョイントが外れても乳幼児が落下しないようになっている。また、本体中央部に収納ポーチとしてとして使用できるポケットを縫い付けていることを特徴とするベビースリングである。
【０００９】
請求項５の発明は、ベビースリングと呼ばれる１枚の布で作られた子守帯の、本体の端である接続端にオス・メスジョイント式バックルのメスＡを縫い付け、もう一方の端であるテール接続端にはバックルのオスＡ’を取り付けた事によりベビースリングの着脱を容易にした。さらにテール接続端の先端にはバックルのオスＡ’の抜け落ち防止と玩具などを掛けておく為の吊りカンを縫い付けている。またバックルＡ・Ａ’の補助として落下防止兼長さ調節ベルトを設け、ベビースリングの本体上端の筒状部を通り、本体の接続端側から外部に伸びた調節ベルト端Ｃにもうひとつのオス・メスジョイント式バックルのメスＢを縫い付けて、ベビースリング本体の肩に当たる部分からバックルの下部までに設けられたクッションとなるパッド上にメスＢを縫い付けたベルト端Ｃを縫い付け、テール接続端側から外部に伸びたベルト端Ｃ’に取り付けたバックルのオスＢ’とメスＢがジョイントして落下防止兼長さ調節ベルトが輪状となり、万が一バックルＡ・Ａ’のジョイントが外れても乳幼児が落下しないようになっている。また、パッドにはバックルと乳幼児の頭部の保護のためにバックルを包み込む形状のバックルカバーを縫い付け、本体中央部には収納ポーチとして使用できるポケットを縫い付けている事を特徴とするベビースリングである。
【００１０】
【発明の実施の形態】
この発明の一実施形態を、図１及び図２・図３・図４に示す。
【００１１】
べビースリングの本体１は１枚の布（綿）であり、この本体１の端である接続端２は本体を屏風たたみにして縫っているものである。（図２参照）
【００１２】
この接続端２にはオス・メスジョイント式バックルのメスＡ３が縫い付けられた上に２個のカシメ４でメスＡ３が重みで外れることの無い様強力に留めつけられている。
【００１３】
もう一方の端であるテール接続端５にはジョイント式バックルのオスＡ’６が取り付けられており、本体１の接続端２に縫い付けられたジョイント式バックルのメスＡ３に接続できるようになっている。
【００１４】
また本体１の肩に当たる部分から接続端２に縫い付けられたオス・メスジョイント式バックルのメスＡ３の下部まで、肩を保護するためのクッションとなるポリエステル綿入りのパッド７が縫い付けられている。（図２・図３参照）
【００１５】
テール接続端５の端には、テール接続端５がバックルのオスＡ’６より外れることの無い様、吊りカン８を縫い付けている。
【００１６】
この吊りカン８には、ベビースリング使用時には乳幼児の玩具やおしゃぶり等を掛ける事ができ、使わないときにはベビースリング本体をフックなどに掛けておくこともできる。
【００１７】
ベビースリング本体１の上端部には、落下防止兼長さ調節ベルト９を設けている。この落下防止兼長さ調節ベルト９は、きつく締めることにより乳幼児と抱っこする人の体を密着させ、乳幼児の落下を防止する働きがある。
【００１８】
また、この落下防止兼長さ調節ベルト端部Ｃ１０に縫い付けられたバックルのメスＢ１１と、もう一方の調節ベルト端部Ｃ’１２に取り付けられたバックルのオスＢ’１３を接続しておくと落下防止兼長さ調節ベルト９が輪状になり、本体接続端部２に縫い付けられたバックルのメスＡ３とテール接続端部５に取り付けられたバックルのオスＡ’６の接続が万が一外れても乳幼児が落下することを防ぐ働きがある。
【００１９】
落下防止兼長さ調節ベルト９はベビースリングの本体１の上端部に縫われた筒状の内部を通り、本体１の接続端部２側から外部に伸びたベルト端部Ｃ１０にもうひとつのオス・メスジョイント式バックルのメスＢ１１を取り付けている。バックルのメスＢ１１を縫い付けた落下防止兼長さ調節ベルト端部Ｃ１０はパッド７上に縫い付けられ、テール接続端部５側の上端部より外部に伸びた落下防止兼長さ調節ベルト端部Ｃ’１２に取り付けられたバックルのオスＢ’１３と、メスＢ１１がパッド７上でジョイントするようになっている。
【００２０】
ベビースリングの本体端部２に縫い付けられたジョイント式バックルのメスＡ３と、テール接続端部５に取り付けられたバックルのオスＡ’６及び落下防止兼長さ調節ベルト端部Ｃ１０に縫い付けられたジョイント式バックルのメスＢ１１ともう一方の長さ調節ベルト端部Ｃ’１２に取り付けられたバックルのオスＢ’１３の、２つの接続されたジョイント式バックルが乳幼児の頭にぶつかることや、バックルのメスＡ３・オスＡ’６及びバックルのメスＢ１１・オスＢ’１３が外部の障害物等に当たり接続が解除されることを防ぐために、ポリエステル綿入りのバックルカバー１４をパッド７に縫い付けており、バックルを覆い隠すように被せ、面ファスナーＤ１５で閉じられるようになっている。
【００２１】
ベビースリング本体１の上端部にはポリエステル綿を挟むように布を折り込んで縫い、クッションＥ１６を設けている。このクッションは乳幼児の体をベビースリングの上端部が締め付けることを緩和する働きがある。
【００２２】
ベビースリング本体１の下端部にはポリエステル綿を挟むように布を折り込んで縫い、クッションＦ１７を設けている。このクッションは乳幼児の足をベビースリングの下端部が締め付けることを緩和する働きがある。
【００２３】
ベビースリング本体１の中央部にはポケット１８を設け、ベビースリング使用時にはタオルやティッシュを入れるなど便利なポケットとして使用できるようにした。
【００２４】
このポケット１８の口には面ファスナーＧ１９が縫い付けられ、中身が飛び出すことを防ぐようになっている。
【００２５】
ベビースリングを使わないときには、ベビースリング本体１をたたんでこのポケット１８を裏返すことにより収納し、図４にあるようにポケット１８の口に縫い付けられた面ファスナーＧ１９を閉じて、ベビースリングをコンパクトに収納することができる構造になっている。
【００２６】
またこのポケット１８の内側下部には、図４にあるように、裏返して収納ポーチとして使用したとき、容易に携帯できるように一本のベルトの両端を縫いつけて持ち手２０を設けている。
【００２７】
（実施形態の効果）
この実施形態によれば、ベビースリング本体１の接続端２に縫い付けられたオス・メスジョイント式バックルのメスＡ３とテール接続端５に取り付けられたバックルのオスＡ’６の働きで、ベビースリングの着脱がしやすく、さらに落下防止兼長さ調節ベルト９の働きにより、乳幼児の落下が防ぐことができるので安全性が向上する。
【００２８】
また、テール接続端５に縫い付けられた吊りカン８は、バックルのオスＡ’６が抜け落ちるのを防ぐため安全性が向上し、かつ玩具などが携帯でき便利である。
【００２９】
ベビースリング本体１の肩に当たる部分から接続端２に縫い付けられたオス・メスジョイント式バックルのメスＡ３の下部に設けられたポリエステル綿入りパッド７の働きにより、抱っこする人の肩の負担を軽減することができ、バックルカバー１４があることにより乳幼児の頭の保護と、バックルＡ３・Ａ’６及びＢ１１・Ｂ’１３の接続が解除されることを防ぐことができる。
【００３０】
また、ポケット１８の働きによってベビースリング使用時は荷物を少なくすることができ、ベビースリングを使用しない時はベビースリング本体１をコンパクトに収納して、持ち手２０により携帯することが容易である。
【００３１】
したがってベビースリングが使いやすい。
【００３２】
（他の実施形態）
図１の実施形態では、ベビースリングの本体１の接続端２に縫い付けられたジョイント式バックルのメスＡ３、及びテール接続端５に取り付けられたバックルのオスＡ’６、パッド７、落下防止兼調節ベルト９、バックルカバー１４、収納ポーチ兼ポケット１８は、左肩でベビースリングを支える時の仕様であるが、右肩で使用するために設けたものでも良い。
【００３３】
【発明の効果】
以上説明したように、この発明によれば、ベビースリング本体の接続端とテール接続端を接続するためにオス・メスジョイント式バックルを用いたので着脱しやすく、パッド、落下防止兼調節ベルト、バックルカバー、収納ポーチ兼ポケット、持ち手を設けたので、安全で収納携帯しやすい上に便利である。
【図面の簡単な説明】
【図１】この発明の一実施形態を示す斜視図である。
【図２】この発明の一実施形態を示す正面図である。
【図３】この発明の一実施形態を示す裏面図である。
【図４】この発明の一実施形態を示す斜視図である。
【図５】従来技術を示す斜視図である。
【符号の説明】
１  ベビースリングの本体              ２  接続端
３  ジョイント式バックルのメスＡ    ４  カシメ    ５  テール接続端
６  ジョイント式バックルのオスＡ’        ７  肩保護パッド
８  吊りカン      ９    落下防止兼長さ調節ベルト
１０  落下防止兼長さ調節ベルト端部Ｃ    １１  ジョイント式バックルのメスＢ
１１  落下防止兼長さ調節ベルト端部Ｃ’    １３  ジョイント式バックルのオスＢ’
１４  バックルカバー      １５  面ファスナーＤ          １６  クッションＥ
１７  クッションＦ        １８  収納ポーチ兼ポケット
１９  面ファスナーＧ      ２０  持ち手
【図１】
2004222828.tif 000003
【図２】
2004222828.tif 000004
【図３】
2004222828.tif 000005
【図４】
2004222828.tif 000006
【図５】
2004222828.tif 000007